(57)【要約】      （修正有）【課題】使用と着脱が便利で、洗濯しやすく、経済的である洗濯機用の布地保護カバーを提供する。【解決手段】洗濯機用の布地保護カバーは一体構成となり、カバー本体１と、上部カバー２と、後部カバーとを備え、上部カバーの最後辺が後部カバーの最上辺に連結され、同時に上部カバーの最後辺には洗濯機の給水口が設けられ、上部カバーの対応箇所に穴が設けられ、後部カバーは巻き上げまたは巻き下げることが可能であり、後部カバーには洗濯機への固定調整用のストラップが付いており、上部カバーの前端面と両側面がカバー本体に接する表面においてそれぞれ粘着装置４が設けられている。保護カバーはシルバコーティングされたオックスフォード布で作られている。【選択図】図３
0003216386.tif 000002
【実用新案登録請求の範囲】
【請求項１】
洗濯機用の布地保護カバーであって、その特徴は、前記保護カバーが一体構成となり、カバー本体と、上部カバーと、後部カバーとを備えることにあり、前記上部カバーの最後辺が前記後部カバーの最上辺に連結され、これと同時に前記上部カバーの最後辺には洗濯機の給水口が設けられており、前記上部カバーの対応箇所に穴が設けられおり、前記後部カバーは巻き上げまたは巻き下げることが可能であり、そして前記後部カバーには調整用のストラップが付いている、洗濯機用の布地保護カバー。
【請求項２】
請求項１に記載の洗濯機用の布地保護カバーであって、その特徴は、前記上部カバーの前端面と両側面、及び前記カバー本体の対応位置において、互いに協働する粘着装置がそれぞれ配置されており、前記上部カバーと前記カバー本体をしっかりと接続させることにある、洗濯機用の布地保護カバー。
【請求項３】
請求項１に記載の洗濯機用の布地保護カバーであって、その特徴は、前記洗濯機用の布地保護カバーがシルバコーティングされたオックスフォード布で作られたことにある、洗濯機用の布地保護カバー。
【考案の詳細な説明】
【技術分野】
【０００１】
本考案は、保護カバーの分野に関し、特に洗濯機用の布地保護カバーに関する。
【背景技術】
【０００２】
近代の生活品質の改善につれて、家電用品の品類も増え、人々はより多く各種の家電用品に依存するようになり、冷蔵庫、洗濯機、テレビはすでに現代の家族の不可欠な機器となっている。
【０００３】
いろんな電気機器を自宅に置いて、異なる機能を提供するだけでなく、家庭に異なる視覚的イメージをもたらすことができる。しかし、現代社会の大量の各類工業製品による粉塵も多くなり、基本的に毎日大量の粉塵が生成されて各類物品の表面に付着して、物品の美観に影響し、そして片付けが容易ではない。特に洗濯機であり、近来多くの部屋空間設計には、洗濯機がキッチンのすぐ近くに置かれて、その結果としてキッチン中の排出しきれない煙の多くは洗濯機の表面に付着し、または露台に置かれて、太陽に照りつけられ雨に濡れ、長い時間では洗濯機の表面に大きい損害を引き起こすだけでなく、外観にも影響を与える。
【０００４】
現在の保護カバーはほとんど一体構成となり、即ち布で洗濯機の大きさに応じて布カバーで作られ、洗濯機が動作時に保護カバーを取り外し、動作しない時にカバーを被し、使用が非常に不便である。
【考案の概要】
【０００５】
本考案の目的は、保護カバーを提供することであり、該保護カバーはシルバコーティングされたオックスフォード布で作られてなり、防水、日晒し防止、防塵の三つの機能を一体に統合し、洗濯機の表面にほこりが付着するのを効果的に防止し、これと同時に洗濯しやすく、洗濯機の外殻及び洗濯機の内部をより大きな程度で防水することができる。
【０００６】
本考案では、以下のような技術的解決手段を採用する。洗濯機用の布地保護カバーであって、保護カバーは一体構成となり、カバー本体と、上部カバーと、後部カバーとを備え、上部カバーの最後辺は後部カバーの最上辺に連結され、これと同時に上部カバーの最後辺には洗濯機の給水口が設けられており、上部カバーの対応箇所に穴が設けられており、後部カバーは巻き上げまたは巻き下げることが可能であり、そしてその上に調整用ストラップが設けられている。
【０００７】
上記技術的解決手段では、上部カバーの前端面と両側面がカバー本体に接する両面の表面において互いに粘着装置が設けられている。
【０００８】
上記技術的解決手段では、保護カバーはシルバコーティングされたオックスフォード布で作られている。
【０００９】
上記技術的解決手段では、保護カバーは主にパルセータ洗濯機に使用され、パルセータ洗濯機のドアが上開きであるため、保護カバーの上部カバーを上下に反転させることができ、衣服の出し入れが容易になる。上部カバーの前面及び両側面並びにカバー本体に設けられた粘着装置は、上部カバーが洗濯機をしっかりとカバーできることを保証する。
【００１０】
上記技術的解決手段では、カバー本体の後部カバーに調整用ストラップが設けられており、ストラップの締め具合を調整することによって保護カバーと洗濯機の密着具合を調整することができ、これと同時に後部カバーは巻き上げまたは巻き下げが可能であり、巻き上げた時に動作中の洗濯機の冷却効果を果たし、巻き下げた時に洗濯機は風雨から完全に保護することができる。
【００１１】
上記解決手段では、シルバコーティングされたオックスフォード布の保護カバーは大きな程度で浸水を防止することができ、たとえ水が誤って保護カバーの表面に注がれたとしても、もしくは窓がちゃんと締められていなくて雨に濡れても、保護カバーは水が布地を浸透して洗濯機に入り、洗濯機の通常の動作に影響を与えることを防止することができる。同様に、保護カバーはさらに太陽の日晒しまたはほこりを効果的に防止することができる。
【００１２】
本考案は先行技術と比較して、統合された設計を採用しているので、保護カバーは常に洗濯機に覆われていてもよく、上部カバーを開けることができるので、洗濯機が動作しているときに保護カバーを取り外さなくてもよく、使用者に大きな利便性を提供する。保護カバーはシルバコーティングされたオックスフォード布で作られたため、ほとんど耐水性があるので、カバーの表面に水が不注意に注がれたとしても保護カバーを浸透して洗濯機の内部に入り、洗濯機が焼ける心配はない。本考案は着脱が便利で、洗濯しやすく、経済的である。
【図面の簡単な説明】
【００１３】
添付図面を参照して本考案をさらに説明する。
【図１】図１は本考案の概略構造図である。
【図２】図２は本考案の背面の概略図である。
【図３】図３は上部カバーが開かれたときの粘着装置の概略図である。
【図４】図４は給水口の概略図である。
【考案を実施するための形態】
【００１４】
図１に示すように、本考案に係る保護カバーは一体構成となり、カバー本体１と、上部カバー２と、後部カバー３とを備え、カバー本体１の上面部にはそれぞれ一つの大きな穴が設けられており、大穴部には上部カバー２が設けられており、上部カバー２の最後辺は後部カバー３の最上辺に連結され、上部カバー２の最後辺には洗濯機の給水口６が設けられており、上部カバー２で大穴を塞ぐことができ、大穴のサイズは洗濯機の上開きドアのサイズより大きい。上部カバー２の前端部及び両側部がカバー本体１に対応する位置に粘着装置４が設けられており、粘着装置４は上部カバー２とカバー本体１とを密着させることができ、風があるとき上部カバー２が風と共に羽ばたくことを防止する。カバー本体１の後部カバー３は巻き上げまたは巻き下げることが可能であり、後部カバー３には調整用ストラップ５が設けられており、調整用ストラップ５の数を実際のニーズに応じて増減させることができる。
【００１５】
図１に示す保護カバーをパルセータ洗濯機に覆い、調整ストラップ５を締め付けることで保護カバーを洗濯機に固定することができ、ストラップ５の締め具合を調整することによって保護カバーと洗濯機本体との密着具合を調整することができる。
【００１６】
上記保護カバーはシルバコーティングされたオックスフォード布で作られており、日晒し防止、防水、防塵することができ、たとえ大量の水が保護カバーに注がれたとしても、保護カバーは浸水を防止することができ、洗濯機の安全かつ正常な動作を確保し、洗濯機における浸水による偶発的な損害を防止する。
【００１７】
本明細書で開示される特徴の全ては、互いに排他的な特徴を除いて、任意の方法で組み合わせることができる。
【００１８】
上記の説明は本考案の好ましい実施形態に過ぎず、本考案を限定するものではなく、本考案の精神及び原則の範囲内でなされた変更、同等の置換及び改良などが、いずれも本考案の保護範囲内に含まれるべきである。
【符号の説明】
【００１９】
１  カバー本体、２  上部カバー、３  後部カバー、４  粘着装置、５  ストラップ、６  給水口。
【図１】
0003216386.tif 000003
【図２】
0003216386.tif 000004
【図３】
0003216386.tif 000005
【図４】
0003216386.tif 000006